(57)【要約】      （修正有）【課題】常套のマッチ箱とは異なりデザインが斬新で手に馴染み易く、また、コイン等の小物入れやポケット灰皿としても併用できるお洒落で便利な携帯用ポケットケースを提供する。【解決手段】有底筒状に形成されたケース本体１と、該ケース本体１の上端開口２を開閉自在に被装する蓋体３とを備える。ケース本体１は、天然皮革や人工皮革などの適宜素材より中空箱状に縫製されており、定形のマッチ棒が立設状態で挿着できる大きさに形成され、内側に、同ケース本体１を堅固に保形するための内装部材４を装着せしめ、前面に、補助ポケット６を付設する。この補助ポケット６は、前記蓋体３で被装される外面部位１ａに突設せしめ、マッチ着火手段７を出し入れ自在に保持すると共に、長手方向に着火スリット６ａを開口せしめる。【選択図】図２
0003102350.tif 000002
【実用新案登録請求の範囲】
【請求項１】
マッチ棒等の内容物を出し入れ自在に収納するケース本体と、該ケース本体に装着されたマッチ着火手段とを備えてなることを特徴とする携帯用ポケットケース。
【請求項２】
マッチ棒等の内容物を出し入れ自在に収納するケース本体と、該ケース本体の上端開口を開閉自在に被装せしめる蓋体と、該蓋体若しくは前記ケース本体に装着されたマッチ着火手段とを備えてなることを特徴とする携帯用ポケットケース。
【請求項３】
前記マッチ着火手段は、蓋体で被装されるケース本体の外面部位に、着火スリットを有する補助ポケットを介して装着せしめることを特徴とする請求項２に記載の携帯用ポケットケース。
【考案の詳細な説明】
【技術分野】
【０００１】
本考案は、主としてマッチ箱の改良に関し、更に詳しくは、常套のマッチ箱とは異なりデザインが斬新で手に馴染み易く、また、コイン等の小物入れやポケット灰皿としても併用できるお洒落で便利な携帯用ポケットケースに関する。
【背景技術】
【０００２】
従来、斯かるマッチ箱としては、例えば、（１）両端が開口した外箱と、該外箱に摺動自在に嵌挿されて複数本のマッチ棒を収納してなる内箱とを備えたものや、（２）二つ折りに形成された背面板と正面板との間に、はぎ取り可能な多数のマッチ棒を並設したものが周知である（特許文献１参照）。
【特許文献１】登録実用新案公報第３０２２０３９号
【考案の開示】
【考案が解決しようとする課題】
【０００３】
しかしながら、上述した従来のマッチ箱にあっては、携帯に便利であるものの、角張っていることから手に馴染まず（デザインや趣向性に乏しい）、また、使い捨てライター等の普及率が高いことも相俟って、マッチを使用する人が激減しているのが現状である。
【０００４】
本考案はこのような従来の問題点に鑑みてなされたもので、常套のマッチ箱とは異なりデザインが斬新で手に馴染み易く、また、コイン等の小物入れ等としても併用できるお洒落で便利な携帯用ポケットケースを提供することを目的としたものである。
【課題を解決するための手段】
【０００５】
上述の如き従来の問題点を解決し、所期の目的を達成するため本考案の要旨とする構成は、マッチ棒等の内容物を出し入れ自在に収納するケース本体と、該ケース本体に装着されたマッチ着火手段とを備えてなる携帯用ポケットケースに存する。
【０００６】
また、マッチ棒等の内容物を出し入れ自在に収納するケース本体と、該ケース本体の上端開口を開閉自在に被装せしめる蓋体と、該蓋体若しくは前記ケース本体に装着されたマッチ着火手段とを備えるのが良い。
【０００７】
更に、前記マッチ着火手段は、蓋体で被装されるケース本体の外面部位に、着火スリットを有する補助ポケットを介して装着するのが良い。
【０００８】
このように構成される本考案の携帯用ポケットケースは、マッチ棒等の内容物を出し入れ自在に収納するケース本体と、該ケース本体に装着されたマッチ着火手段とを備えてなることによって、マッチ棒を取り出して簡単に着火し得ると共に、コイン等の内容物を一緒に携帯し得ることとなる。
【０００９】
また、マッチ棒等の内容物を出し入れ自在に収納するケース本体と、該ケース本体の上端開口を開閉自在に被装せしめる蓋体と、該蓋体若しくは前記ケース本体に装着されたマッチ着火手段とを備えたことによって、コイン等の内容物を一緒に携帯し得る他、恰も蓋付きの小物入れのように観取し得ることとなる。
【００１０】
更に、前記マッチ着火手段は、蓋体で被装されるケース本体の外面部位に、着火スリットを有する補助ポケットを介して装着せしめることによって、外面からはマッチ着火手段が視認できないように目隠しされることとなる。
【考案の効果】
【００１１】
本考案は上述のように構成され、マッチ棒等の内容物を出し入れ自在に収納するケース本体と、該ケース本体に装着されたマッチ着火手段とを備えてなることによって、マッチ棒を取り出して簡単に着火できると共に、コイン等の内容物を一緒に携帯できるといった効果を奏する。
【００１２】
また、マッチ棒等の内容物を出し入れ自在に収納するケース本体と、該ケース本体の上端開口を開閉自在に被装せしめる蓋体と、該蓋体若しくは前記ケース本体に装着されたマッチ着火手段とを備えたことによって、コイン等の内容物を一緒に携帯できる他、恰も蓋付きの小物入れのように観取できるため、常套のマッチ箱とは異なりデザインが斬新で手に馴染み易く、また、コイン等の小物入れとしても併用できるお洒落で便利な携帯用ポケットケースを提供できる。
【００１３】
更に、前記マッチ着火手段は、蓋体で被装されるケース本体の外面部位に、着火スリットを有する補助ポケットを介して装着せしめることによって、外面からはマッチ着火手段が視認できないように目隠しされるため、マッチ箱と判別することのできない洒落な携帯用ポケットケースを提供できる。
【００１４】
また、本考案の携帯用ポケットケースは、構成が単純であるため大量生産に適し、価格も低廉なものとして需要者に供給できる等、本考案を実施することはその実益的価値が甚だ大なるものがある。
【考案を実施するための最良の形態】
【００１５】
マッチ棒等の内容物を出し入れ自在に収納するケース本体と、該ケース本体の上端開口を開閉自在に被装せしめる蓋体と、該蓋体若しくは前記ケース本体に装着されたマッチ着火手段とを備え、かつ、前記マッチ着火手は、蓋体で被装されるケース本体の外面部位に、着火スリットを有する補助ポケットを介して装着せしめるのが良い。
【実施例】
【００１６】
次に、本考案の実施の一例を図面を参照しながら説明する。図中Ａは、本考案に係る携帯用ポケットケースであり、この携帯用ポケットケースＡは、図１若しくは図２に示すように、有底筒状に形成されたケース本体１と、該ケース本体１の上端開口２を開閉自在に被装する蓋体３とを備えている。
【００１７】
前記ケース本体１は、天然皮革や人工皮革などの適宜素材より中空箱状に縫製されており、定形のマッチ棒が立設状態で挿着できる大きさに形成されている。
【００１８】
また、このケース本体１の内側には、図３及び図４に示すように、同ケース本体１を堅固に保形するための内装部材４が装着されている。この内装部材４は、厚紙、合成樹脂或いは金属等の適宜素材からなり、有底筒状を呈してケース本体１内を堅固に保形している。
【００１９】
更に、前記蓋体３は、ケース本体１と同じ天然皮革や人工皮革などの適宜素材からなり、同ケース本体１の上端開口２及び外面部位（上半部）１ａを被装するように延設され、ボタン５で着脱自在に止着される。
【００２０】
一方、このケース本体１の前面側には、補助ポケット６が付設されている。この補助ポケット６は、前記蓋体３で被装される外面部位１ａに突設されており、マッチ着火手段７を出し入れ自在に保持すると共に、長手方向に着火スリット６ａが開口されている。
【００２１】
すなわち、この着火スリット６ａは、ケース本体１の外面と段差ができるように開口されると共に、マッチ棒の先端に設けられた大径の発火部を容認できる大きさに形成されており、同スリット６ａに沿ってマッチ棒を押し付けるだけでマッチ着火手段７と擦り合えるようになっている。
【００２２】
また、マッチ着火手段７は、マッチ棒の発火部(リン)を擦り上げて着火せしめる常套の摩擦用部材からなり、使用頻度や経年変化に応じて取り換えることができるように前記補助ポケット６内に保持されてる。
【００２３】
このように構成される本考案の携帯用ポケットケースＡは、蓋体３を開けケース本体１の上端開口２からマッチ棒を取り出し、マッチ棒の先端に設けられた発火部を前記着火スリット６ａに沿って押し付けるだけで簡単に点火できるものである。
【００２４】
また、ケース本体１内には、コイン等の内容物をも一緒に携帯できると共に、外面からはマッチ着火手段が視認できないように蓋体３で目隠しされる結果、恰も蓋付きの小物入れのように観取できるなど、常套のマッチ箱とは異なりデザインが斬新で、手にも馴染み易いものである。
【００２５】
尚、本考案の携帯用ポケットケースは、本実施例に限定されることなく、本考案の目的の範囲内で自由に設計変更し得るものであり、本考案はそれらの全てを包摂するものである。例えば、蓋体を開けるだけで内容物が簡単に取り出せるようにケース本体１内の底面に弾性ゴム、スプリング、蛇腹部材等の付勢手段（図示せず）を介在させても良い。
【００２６】
また、本実施例では、マッチ入れの他、小物入れ等としても使用できるものであり、更には、これらに限定されることなく、シガレットケース或いはライターケース仕様の携帯用ポケットケース、更には、財布など、内容物を出し入れする全ての包装ケースに応用できるものであり、本考案の携帯用ポケットケースは、これらの全てを包摂するものである。
【図面の簡単な説明】
【００２７】
【図１】本考案に係る携帯用ポケットケースの閉蓋状態を示す斜視図である。
【図２】同携帯用ポケットケースの開蓋状態を示す斜視図である。
【図３】同携帯用ポケットケースの組立分解斜視図である。
【図４】同携帯用ポケットケースの縦断面図である。
【符号の説明】
【００２８】
１  ケース本体
１ａ  外面部位
２  上端開口
３  蓋体
４  内装部材
５  ボタン
６  補助ポケット
６ａ  着火スリット
７  マッチ着火手段
【図１】
0003102350.tif 000003
【図２】
0003102350.tif 000004
【図３】
0003102350.tif 000005
【図４】
0003102350.tif 000006